(57)【特許請求の範囲】
【請求項１】
外部機器が接続可能なカラオケ装置と、前記カラオケ装置に通信可能に接続されたサーバとを備えたカラオケシステムであって、
前記カラオケ装置は、
前記外部機器の接続状況を検出して接続情報を出力する検出部と、
操作者による入力操作にしたがって装置設定を示す設定情報を設定する設定部と、
接続情報及び設定情報を前記サーバに送信する送信部と、を有し、
前記サーバは、
接続情報及び設定情報の組み合わせ毎の評価を示す評価テーブルを記憶した記憶部と、
前記カラオケ装置から接続情報及び設定情報を取得する取得部と、
前記取得部が取得した接続情報及び設定情報の組み合わせの適否を評価テーブルに基づいて判定する判定部と、
前記判定部による判定結果を前記カラオケ装置に報知する報知部と、を有し、
前記外部機器の接続状況と前記カラオケ装置の装置設定の相性診断が実行可能なことを特徴とするカラオケシステム。
【請求項２】
前記サーバは、前記判定部による判定結果に基づいて設定情報の変更を指示する指示部を有し、
前記設定部は、前記指示部からの指示に基づいて設定情報を変更することを特徴とする請求項１に記載のカラオケシステム。
【請求項３】
前記検出部は、接続された前記外部機器の機種情報を含む接続情報を出力し、
前記記憶部は、機種情報及び設定情報の組み合わせ毎の評価を、少なくとも推奨又は非推奨で示す評価テーブルを記憶することを特徴とする請求項１又は請求項２に記載のカラオケシステム。
【請求項４】
外部機器が接続可能なカラオケ装置であって、
前記外部機器の接続状況を検出して接続情報を出力する検出部と、
操作者による入力操作にしたがって装置設定を示す設定情報を設定する設定部と、
接続情報及び設定情報の組み合わせ毎の評価を示す評価テーブルを記憶する記憶部と、
接続情報及び設定情報の組み合わせの適否を評価テーブルに基づいて判定する判定部と、を備え、
前記外部機器の接続状況と装置設定の相性診断が実行可能なことを特徴とするカラオケ装置。
【発明の詳細な説明】
【技術分野】
【０００１】
本発明は、カラオケシステム及びカラオケ装置に関する。
【背景技術】
【０００２】
カラオケ装置には、ルータ、リモートコントローラ、マイクロホン、オーディオ・アンプ、撮影カメラ、ビデオプレーヤ、ディスプレイ等の多くの外部機器が接続されている。従来、カラオケ装置、ビデオプレーヤ等のソース機器とモニタ等のシンク機器の接続を切り替えることで、カラオケ装置に格納されていない楽曲データの利用や、カラオケ以外のコンテンツを手軽に楽しむことができる切替装置が提案されている（例えば、特許文献１参照）。また、カラオケ装置に新たな外部機器が接続された場合に、外部機器の動作を制御するカラオケ装置が提案されている（例えば、特許文献２参照）。
【先行技術文献】
【特許文献】
【０００３】
【特許文献１】特開第６３６８８７５号公報
【特許文献２】特許第３１７６４９７号公報
【発明の概要】
【発明が解決しようとする課題】
【０００４】
ところで、カラオケ装置には、通信、演奏、歌唱音声、映像、録音録画、ユーザ・インターフェース、ＢＧＭ／ＢＧＶ、コンテンツ等に関連した設定のように、設置環境、店舗の位置付け、オーナーの意向に沿って調整するための設定項目が非常に多い。また、外部機器の接続状況とカラオケ装置に設定された装置設定には相性が良くない組み合わせがあり、カラオケ装置や外部機器の機能が制限されたり、動作に不具合が生じたりする場合がある。上記したように、カラオケ装置には多くの外部機器が接続され、多くの設定項目があるため、カラオケ店舗を担当するカラオケ事業者の担当スタッフでも、外部機器の接続状況と装置設定の相性に起因した不具合の原因究明や解決は容易ではない。
【０００５】
本発明の目的は、外部機器の接続状況とカラオケ装置の装置設定の相性に起因した不具合の原因究明や解決を容易に行うことができるカラオケシステム及びカラオケ装置を提供することである。
【課題を解決するための手段】
【０００６】
上記目的を達成するための主たる発明は、外部機器が接続可能なカラオケ装置と、前記カラオケ装置に通信可能に接続されたサーバとを備えたカラオケシステムであって、前記カラオケ装置は、前記外部機器の接続状況を検出して接続情報を出力する検出部と、操作者による入力操作にしたがって装置設定を示す設定情報を設定する設定部と、接続情報及び設定情報を前記サーバに送信する送信部と、を有し、前記サーバは、接続情報及び設定情報の組み合わせ毎の評価を示す評価テーブルを記憶した記憶部と、前記カラオケ装置から接続情報及び設定情報を取得する取得部と、前記取得部が取得した接続情報及び設定情報の組み合わせの適否を評価テーブルに基づいて判定する判定部と、前記判定部による判定結果を前記カラオケ装置に報知する報知部と、を有し、前記外部機器の接続状況と前記カラオケ装置の装置設定の相性診断が実行可能なカラオケシステムである。
【発明の効果】
【０００７】
本発明によれば、カラオケ装置に多数の外部機器が接続され、カラオケ装置に多くの設定内容が設定された場合であっても、外部機器の接続状況と装置設定の相性に起因した不具合の原因究明や解決を容易に行うことができる。
【図面の簡単な説明】
【０００８】
【図１】第１実施形態に係るカラオケシステムの構成図である。
【図２】第１実施形態に係るカラオケシステムのブロック図である。
【図３】第１実施形態に係る評価テーブルの一例を示す図である。
【図４】第１実施形態に係るカラオケシステムの処理を示すフローチャートである。
【図５】第２実施形態に係るカラオケシステムのブロック図である。
【図６】第２実施形態に係る評価テーブルの一例を示す図である。
【図７】第２実施形態に係るカラオケシステムの処理を示すフローチャートである。
【図８】変形例２に係るカラオケシステムのブロック図である。
【発明を実施するための形態】
【０００９】
＜第１実施形態＞
図１及び図２を参照して、第１実施形態に係るカラオケシステム１について説明する。図１は、第１実施形態に係るカラオケシステム１の構成図である。図２は、第１実施形態に係るカラオケシステム１のブロック図である。図３は、第１実施形態に係る評価テーブルの一例を示す図である。
【００１０】
図１に示すように、カラオケシステム１は、カラオケ事業者によって管理されており、カラオケ店舗に設置された複数のカラオケ装置２と、データセンタ等に設置されたサーバ３とを備えている。複数のカラオケ装置２はネットワーク５を介してサーバ３に通信可能に接続されている。ネットワーク５は、例えばインターネット回線網や、公衆交換電話網（PSTN：Public  Switched  Telephone  Network）によって構成されている。また、各カラオケ店舗のカラオケ装置２には、カラオケ事業者の担当スタッフによって設置環境、店舗の位置付け、オーナーの意向等に沿って各種機能等が設定されている。
【００１１】
図２に示すように、カラオケシステム１のカラオケ装置２には、カラオケ演奏及びカラオケ演奏以外の様々なサービスを提供できるように複数の外部機器４が接続されている。カラオケ装置２には、外部機器４として、ルータ１１、第１、第２のリモートコントローラ１２ａ、１２ｂ、第１、第２のマイクロホン１３ａ、１３ｂ、オーディオ・アンプ１４、スピーカ１５、メインモニタ１６、サブモニタ１７、ビデオプレーヤ１８、撮影カメラ１９等が接続されている。なお、これらの外部機器４は、カラオケ装置２に接続される機器の一例であり、カラオケ装置２には他の外部機器が接続されていてもよい。
【００１２】
ルータ１１は、ネットワーク５（図１参照）を介してカラオケ装置２とサーバ３を通信可能に接続している。第１、第２のリモートコントローラ１２ａ、１２ｂは、楽曲の選曲や音量調整等のカラオケ装置２に対する各種操作を受け付けている。また、第１、第２のリモートコントローラ１２ａ、１２ｂは、店舗スタッフ等のユーザの操作に応じて自動録画機能、採点機能等のカラオケ演奏に関する機能の他、ＤＶＤ（Digital  Versatile  Disk）等のビデオ視聴機能等の各種機能の設定に使用される。第１、第２のマイクロホン１３ａ、１３ｂは、歌唱者の歌唱音声をアナログの歌唱音声信号に変換してカラオケ装置２に出力する。
【００１３】
カラオケ装置２は、再生された演奏信号と第１、第２のマイクロホン１３ａ、１３ｂからの歌唱音声信号を、音響処理部２３（後述）が備えるミキサによって適切な比率でミキシングして、オーディオ・アンプ１４に出力する。オーディオ・アンプ１４は、このミキシング信号をアンプによって増幅する。スピーカ１５は、オーディオ・アンプ１４からの出力信号を歌唱音声と演奏音に変換して放音する。メインモニタ１６及びサブモニタ１７は、楽曲再生中に背景映像と共に歌詞テロップを表示する。ビデオプレーヤ１８は、光ディスクから映像データを再生してメインモニタ１６及びサブモニタ１７に表示させる。撮影カメラ１９は、歌唱中の歌唱者を撮影して歌唱映像をカラオケ装置２に出力する。
【００１４】
カラオケ装置２には、設定部２１と、記憶部２２と、音響処理部２３と、表示処理部２４と、録画処理部２５と、モード切替部２６と、検出部２７と、送信部２８と、受信部２９とが設けられている。設定部２１は、操作者による第１、第２のリモートコントローラ１２ａ、１２ｂの入力操作にしたがって設定情報を設定する。設定情報には、ネットワーク設定、イコライジング設定、アダルト向けコンテンツの許可設定等の他に、自動録画機能、デュエット採点機能等に関わる設定が含まれている。設定部２１によってこれらの設定が記憶部２２に記憶されることで、カラオケ装置２に対して各設定が反映される。
【００１５】
記憶部２２には、演奏データ、歌詞テロップデータ、映像データ、属性データ、リファレンスデータが記憶されている。演奏データの再生によってスピーカ１５から演奏音が放音される。歌詞テロップデータ及び映像データによって演奏データの再生に同期して歌詞テロップ及び背景映像がメインモニタ１６及びサブモニタ１７に表示される。属性データには、曲名、歌手名、作詞者名、作曲者名等の楽曲に関する情報が含まれている。リファレンスデータによって第１、第２のマイクロホン１３ａ、１３ｂから入力された歌唱音声信号が採点される。また、記憶部２２には、各データの他に上記した設定情報が記憶されている。
【００１６】
表示処理部２４は、記憶部２２から歌詞テロップデータ及び映像データを読み出して、メインモニタ１６及びサブモニタ１７に歌詞テロップと背景映像を表示させる。表示処理部２４は、演奏データの再生に同期して歌詞テロップの表示色を変化させる。これにより、歌唱者が、歌詞テロップの表示色の変化から、歌詞を見ながら演奏の進行に合わせて歌唱することができる。また、表示処理部２４は、ビデオプレーヤ１８で再生された映像をメインモニタ１６等に表示させる。
【００１７】
音響処理部２３は、記憶部２２から演奏データを順に読み出して演奏信号を再生し、上記したように演奏信号と第１、第２のマイクロホン１３ａ、１３ｂからの歌唱音声信号をミキサによって適切な比率でミキシングしてオーディオ・アンプ１４に出力する。歌唱者が演奏に合わせて歌唱することで、スピーカ１５から演奏音と共に歌唱音声が放音される。録画処理部２５は、撮影カメラ１９によって撮影された歌唱映像と音響処理部２３から出力されたミキシング信号を同期させて録画データを生成する。録画処理部２５は、自動録画機能が有効の場合に演奏信号の再生に合わせて自動的に録画を開始するが、マニュアル操作によって任意のタイミングで録画を開始することも可能である。録画データは、例えばサーバ３にアップロードされてもよい。
【００１８】
モード切替部２６は、カラオケ装置２の動作モードを通常モードと管理モードに切り替える。通常モードはカラオケ装置２が通常動作するモードであり、管理モードはカラオケ装置２に不具合が生じたときに起動するモードである。カラオケ装置２が管理モードに移行した場合には、外部機器４の接続状況とカラオケ装置２の装置設定の相性診断を実行して、カラオケ装置２の不具合の原因を診断することが可能である。カラオケ装置２の動作モードは、カラオケ事業者の担当スタッフ等によって、カラオケ装置２が操作されることで変更される。
【００１９】
検出部２７は、管理モードにおいて外部機器４の接続状況を検出して接続情報を出力する。接続情報には、カラオケ装置２に対する外部機器４の接続の有無が含まれている。外部機器４の接続状況の検出は、例えば端子の抵抗値を監視することで外部機器４の接続の有無を検出する公知の技術を用いることができる。また、カラオケ装置２には、第１、第２のリモートコントローラ１２ａ、１２ｂのように無線で接続されている外部機器４がある。このため、検出部２７は、カラオケ装置２から外部機器４に特定信号を送信し、外部機器４からの応答信号に基づいて外部機器４の接続の有無を検出してもよい。
【００２０】
送信部２８は、管理モードにおいて接続情報と設定情報を関連付けて相性診断のリクエスト信号を生成し、リクエスト信号に送信処理を施してサーバ３に送信する。受信部２９は、管理モードにおいてサーバ３からのレスポンス信号に受信処理を施して、レスポンス信号から相性診断の判定結果を取得する。相性診断の判定結果は、表示処理部２４によってメインモニタ１６及びサブモニタ１７に表示されてカラオケ装置２の不具合の原因究明に利用される。なお、送信部２８及び受信部２９は、通常モードにおいても、サーバ３との間で定期的に各種信号の送受信を実施している。
【００２１】
カラオケシステム１のサーバ３は、複数のカラオケ装置２の各種情報を統括管理するものであり、記憶部３１と、取得部３２と、判定部３３と、報知部３４とを有している。記憶部３１には、接続情報及び設定情報の組み合わせ毎の評価を示す評価テーブルが記憶されている。評価テーブルには、外部機器４の接続状況とカラオケ装置２の装置設定の組み合わせの評価がＯＫ（適合）及びＮＧ（不適合）として事前に登録されている。評価テーブルは、カラオケ事業者によって定期的に更新されており、記憶部３１には最新の評価テーブルが記憶されている。
【００２２】
例えば、図３に示すように、評価テーブルには、カラオケ装置２の設定情報として自動録画ＯＮが登録されており、外部機器４の接続情報としてビデオプレーヤ及び撮影カメラの接続の有無が登録されている。すなわち、接続情報としてビデオプレーヤ用接続端子及び撮影カメラ用接続端子への外部機器の接続の有無が登録されている。ビデオプレーヤの接続と自動録画ＯＮの組み合わせはＮＧと評価されており、撮影カメラの接続と自動録画ＯＮの組み合わせはＯＫと評価されている。したがって、ビデオプレーヤ１８の接続中には自動録画は有効にはならない。これは、ビデオプレーヤ１８と撮影カメラ１９が同時に接続されている場合、自動録画よりもビデオ視聴が優先されることを意味している。なお、図３における丸印は接続有りを示している。
【００２３】
取得部３２は、カラオケ装置２からのリクエスト信号に対して受信処理を施して、リクエスト信号から接続情報及び設定情報を取得する。判定部３３は、取得部３２が取得した接続情報及び設定情報の組み合わせの適否を評価テーブルに基づいて判定する。例えば、接続情報にビデオプレーヤの接続が含まれ、設定情報に自動録画ＯＮが含まれる場合には、ビデオプレーヤの接続と自動録画ＯＮの組み合わせがＮＧと判定される。報知部３４は、判定部３３による判定結果をカラオケ装置２に報知する。報知部３４は、判定結果を含むレスポンス信号を生成し、レスポンス信号に送信処理を施してカラオケ装置２に送信する。
【００２４】
このようにして、外部機器４の接続状況と装置設定の相性に起因した不具合の原因究明や解決を容易に行うことができる。以下、一例として自動録画機能の不具合が生じた場合について説明する。カラオケ店舗の店舗スタッフがカラオケ装置２を操作して、自動録画機能を有効にしたところ、カラオケ演奏が開始しても自動的に録画されないという不具合が生じた。設定情報として自動録画ＯＮが記憶部２２に記憶されているが、カラオケ装置２の自動録画機能が機能していない。店舗スタッフには原因が解らないため、カラオケ装置２を設置したカラオケ事業者の担当スタッフによって原因究明が実施される。
【００２５】
担当スタッフは、カラオケ装置２を通常モードから管理モードに移行して、外部機器４の接続状況とカラオケ装置２に設定された装置設定の相性診断をカラオケ装置２に指示する。検出部２７によって外部機器４の接続状況が検出され、検出部２７が出力した接続情報と記憶部２２に記憶された設定情報を含むリクエスト信号がカラオケ装置２からサーバ３に送信される。接続情報には、「第１のマイクロホンの接続あり」、「第２のマイクロホンの接続なし」、「ビデオプレーヤの接続あり」、「撮影カメラの接続あり」の情報が含まれている。設定情報には自動録画機能が有効であることを示す「自動録画ＯＮ」の情報が含まれている。
【００２６】
サーバ３は、評価テーブルを参照して、接続情報と設定情報の組み合わせの適否を判定する。カラオケ装置２は、ビデオプレーヤ１８を接続している場合、ビデオプレーヤ１８の表示処理を優先して表示するため、マニュアル操作の録音開始は受け付けるが、自動録画機能を無効にする仕様になっている。評価テーブルには上記の仕様が反映されており、接続情報の「ビデオプレーヤの接続あり」と設定情報の「自動録画ＯＮ」の組み合わせはＮＧと評価されている（図３参照）。このため、サーバ３からカラオケ装置２に「ビデオプレーヤを接続した場合、自動録画が無効」というメッセージを含むレスポンス信号が返信される。
【００２７】
このメッセージがメインモニタ１６に表示されることで、担当スタッフによってビデオプレーヤ１８の接続が外される。店舗スタッフがカラオケ装置２の動作を再確認したところ、カラオケ演奏の開始と同時に撮影カメラ１９によって歌唱映像を自動的に録画することができた。このように、カラオケ装置２に多数の外部機器４が接続され、カラオケ装置２に多数の設定項目がある場合であっても、外部機器４の接続状況と装置設定の相性に起因する不具合を解消できる。なお、カラオケ事業者の担当スタッフではなく、店舗スタッフが管理モードからカラオケ装置２に相性診断を指示してもよい。
【００２８】
また、カラオケ装置２の各部の処理及びサーバ３の各部の処理は、プロセッサを用いてソフトウェアによって実現されてもよいし、集積回路等に形成された論理回路（ハードウェア）によって実現されてもよい。プロセッサを用いる場合には、プロセッサがメモリに記憶されているプログラムを読み出して実行することで各種処理が実施される。プロセッサとしては、例えば、ＣＰＵ（Central  Processing  Unit）が使用される。また、メモリは、用途に応じてＲＯＭ(Read  Only  Memory)、ＲＡＭ（Random  Access  Memory）等の一つ又は複数の記憶媒体によって構成されている。
【００２９】
続いて、図４を参照して、カラオケシステム１の処理動作について説明する。図４は、第１実施形態に係るカラオケシステム１の処理を示すフローチャートである。なお、図４に示すフローチャートは一例を示すものであり、カラオケシステム１の処理動作はこのフローチャートに限定されない。また、図４では、図２の符号を適宜使用して説明する。
【００３０】
図４に示すように、担当スタッフ等によってカラオケ装置２の動作モードが通常モードから管理モードに移行され、外部機器４の接続状況とカラオケ装置２に設定された装置設定の相性診断がカラオケ装置２に指示される（ステップＳ０１）。次に、検出部２７によって外部機器４の接続状況が検出されて接続情報が出力され（ステップＳ０２）、記憶部２２に記憶されている設定情報が読み出される（ステップＳ０３）。次に、送信部２８によって接続情報と設定情報を含む相性診断のリクエスト信号がカラオケ装置２からサーバ３に送信される（ステップＳ０４）。
【００３１】
サーバ３では、取得部３２によってリクエスト信号から接続情報と設定情報が取得され（ステップＳ０５）、判定部３３によって記憶部３１から評価テーブルが読み出される（ステップＳ０６）。評価テーブルには、外部機器４の接続状況を示す接続情報とカラオケ装置２の装置設定を示す設定情報の組み合わせ毎の評価が登録されている。評価テーブルは、上記したようにカラオケ装置２の仕様を反映して設定されている。次に、取得部３２に取得された接続情報及び設定情報の組み合わせの適否が、判定部３３によって評価テーブルに基づいて判定される（ステップＳ０７）。
【００３２】
次に、報知部３４によって判定結果を含むレスポンス信号がサーバ３からカラオケ装置２に返信される（ステップＳ０８）。そして、カラオケ装置２では、受信部２９によってレスポンス信号から判定結果が取得され（ステップＳ０９）、表示処理部２４によってメインモニタ１６に判定結果が表示される（ステップＳ１０）。担当スタッフ等がメインモニタ１６を参照しながら、外部機器４の接続を変えたり、カラオケ装置２の設定内容を変更したりすることによって、外部機器４の接続状況とカラオケ装置２に設定された装置設定の相性に起因した不具合が解消される。
【００３３】
以上、第１実施形態によれば、外部機器４の接続状況を示す接続情報とカラオケ装置２の装置設定を示す設定情報の組み合わせの適否がサーバ３からカラオケ装置２に報知される。よって、カラオケ装置２に多数の外部機器４が接続され、カラオケ装置２に多くの設定内容が設定された場合であっても、外部機器４の接続状況と装置設定の相性に起因した不具合の原因究明や解決を容易に行うことができる。なお、本実施形態の評価テーブルは、カラオケ装置２の仕様を反映して設定されているものとしたが、サーバ３に機種が異なる複数のカラオケ装置２が接続されている場合には、サーバ３の記憶部３１は、カラオケ装置２の機種毎にその仕様を反映した評価テーブルを記憶してもよい。この場合、サーバ３の取得部３２は、接続情報及び設定情報と共にカラオケ装置２の機種識別情報を取得し、判定部３３は取得した機種識別情報に対応する評価テーブルを記憶部３１から読み出すことができる。
【００３４】
＜第２実施形態＞
次に、図５を参照して、第２実施形態に係るカラオケシステム１について説明する。図５は、第２実施形態に係るカラオケシステム１のブロック図である。第２実施形態は、相性診断の判定結果に基づいてカラオケ装置２の設定内容を自動的に変更する点で第１実施形態と相違している。したがって、第２実施形態については第１実施形態と同様な構成については説明を省略する。また、第２実施形態に係るカラオケシステム１においては、第１実施形態と同一の名称には同一の符号を付して説明する。
【００３５】
図５に示すように、サーバ３には、記憶部３１、取得部３２、判定部３３、報知部３４に加えて指示部３５が設けられている。指示部３５は、判定部３３による判定結果に基づいてカラオケ装置２の設定情報の変更を指示する。具体的には、判定結果がＮＧ（不適合）と判定された接続情報と設定情報の組み合わせについて、指示部３５が設定情報に示される設定を変更にするような指示情報を生成する。指示情報は、報知部３４によって報知される判定結果と共にレスポンス信号に含められて、サーバ３からカラオケ装置２に向けて送信される。
【００３６】
また、図６に示すように、第２実施形態の評価テーブルには、カラオケ装置２の設定情報としてデュエット採点ＯＮが登録されており、外部機器４の接続情報として第１、第２のマイクロホンの接続の有無が登録されている。すなわち、接続情報として第１のマイクロホン用入力端子及び第２のマイクロホン用入力端子へのマイクロホンの接続の有無が登録されている。第２のマイクロホンの未接続とデュエット採点ＯＮの組み合わせはＮＧと評価されている。したがって、２つのマイクロホン１３ａ、１３ｂがカラオケ装置２に接続されていなければ、デュエット採点機能によって歌唱音声が適切に採点されない。デュエット採点機能が有効になったまま一人で歌唱すると、歌唱力が高くても十分な点数を得ることができない。なお、図６における丸印は接続有りを示し、バツ印は接続無しを示している。
【００３７】
カラオケ装置２の設定部２１は、指示部３５からの指示情報に基づいて設定情報を変更する。設定部２１によって記憶部２２に記憶された設定情報が変更されて、カラオケ装置２に対して変更後の設定が反映される。例えば、第２のマイクロホン１３ｂが未接続な状態で、デュエット採点ＯＮに設定されている場合には、設定部２１によってデュエット採点ＯＦＦに変更される。ここでは、第１のマイクロホン１３ａがカラオケ装置２に接続され、第２のマイクロホン１３ｂがカラオケ装置２に対して未接続な場合について説明したが、第２のマイクロホン１３ｂがカラオケ装置２に接続され、第１のマイクロホン１３ａがカラオケ装置２に対して未接続な場合も同様である。
【００３８】
このようにして、サーバ３の判定部３３による判定結果に基づいて、カラオケ装置２の設定情報を自動的に変更して、外部機器４の接続状況と装置設定の相性に起因した不具合を解決することができる。以下、一例として歌唱音声の採点機能の不具合が生じた場合について説明する。カラオケ店舗の店舗スタッフが歌唱して採点機能を試してみたところ、高い歌唱力にも関わらず、非常に低い点数しか表示されないという不具合が生じた。店舗スタッフには原因が解らないため、カラオケ装置２を設置したカラオケ事業者の担当スタッフによって原因究明が実施される。
【００３９】
担当スタッフは、カラオケ装置２を通常モードから管理モードに移行して、外部機器４の接続状況とカラオケ装置２に設定された装置設定の相性診断をカラオケ装置２に指示する。検出部２７によってカラオケ装置２に接続された外部機器４の接続状況が検出され、検出部２７が出力した接続情報と記憶部２２に記憶された設定情報を含むリクエスト信号がカラオケ装置２からサーバ３に送信される。接続情報には「第１のマイクロホンの接続あり」、「第２のマイクロホンの接続なし」の情報が含まれている。設定情報には、別の店舗スタッフが設定したデュエット採点機能が有効であることを示す「デュエット採点ＯＮ」の情報が含まれている。
【００４０】
サーバ３は、評価テーブルを参照して、接続情報と設定情報の組み合わせの適否を判定する。カラオケ装置２は、デュエット採点を実施する場合、第１、第２のマイクロホン１３ａ、１３ｂからの２人の歌唱者の歌唱力を総合的に採点する仕様になっており、カラオケ装置２に第２のマイクロホン１３ｂが接続されていないと点数が半減する。評価テーブルには上記の仕様が反映されており、接続情報の「第２のマイクロホンの接続なし」と設定情報の「デュエット採点ＯＮ」の組み合わせはＮＧと評価されている。このため、サーバ３からカラオケ装置２に「第２のマイクロホンを接続しない場合、デュエット採点を無効」というメッセージを含むレスポンス信号が返信される。
【００４１】
また、レスポンス信号にはデュエット採点の機能をＯＦＦに変更するための指示情報が含まれている。サーバ３からのメッセージがメインモニタ１６に表示され、設定部２１によってデュエット採点機能がＯＦＦに変更され、変更された設定情報が記憶部２２に記憶される。店舗スタッフがカラオケ装置２の採点機能を再確認したところ、店舗スタッフの歌唱力通りの点数が表示された。このように、カラオケ装置２に多数の外部機器４が接続され、カラオケ装置２に多数の設定項目がある場合であっても、外部機器４の接続状況とカラオケ装置２に設定された装置設定の相性に起因する不具合を簡易に解消できる。
【００４２】
続いて、図７を参照して、カラオケシステム１の処理動作について説明する。図７は、第２実施形態に係るカラオケシステム１の処理を示すフローチャートである。なお、図７に示すフローチャートは一例を示すものであり、カラオケシステム１の処理動作はこのフローチャートに限定されない。また、図７では、図５の符号を適宜使用して説明する。
【００４３】
図７に示すように、第２実施形態に係るステップＳ２１−Ｓ２７の各処理は、それぞれ第１実施形態に係るカラオケシステム１の処理動作のステップＳ０１−Ｓ０７の各処理と同じである。このため、ステップＳ２１−Ｓ２７の各処理の説明は省略する。判定部３３によって接続情報及び設定情報の組み合わせの適否が判定されると、指示部３５によって判定結果に基づいて設定情報の変更を指示する指示情報が生成される（ステップＳ２８）。次に、報知部３４によって判定結果及び指示情報を含むレスポンス信号がサーバ３からカラオケ装置２に返信される（ステップＳ２９）。
【００４４】
次に、カラオケ装置２では、受信部２９によってレスポンス信号から判定結果及び指示情報が取得される（ステップＳ３０）。そして、表示処理部２４によってメインモニタ１６に判定結果が表示され（ステップＳ３１）、設定部２１によって設定情報が変更される（ステップＳ３２）。これにより、担当スタッフ等がメインモニタ１６を参照して不具合を特定できる。また、カラオケ装置２の設定内容が自動的に変更されるため、特別な作業を行うことなく、外部機器４の接続状況とカラオケ装置２に設定された装置設定の相性に起因した不具合が解消される。
【００４５】
以上、第２実施形態によれば、第１実施形態と同様に、外部機器４の接続状況と装置設定の相性に起因した不具合の原因究明や解決を容易に行うことができる。また、カラオケ装置２に設定された設定情報を自動的に変更して、担当スタッフの負担を軽減することができる。
【００４６】
＜変形例１＞
第１、第２実施形態では、評価テーブルに外部機器４の接続情報とカラオケ装置２の設定情報の組み合わせの評価がＯＫ（適合）及びＮＧ（不適合）として登録される構成にしたが、この構成に限定されない。評価テーブルには、評価テーブルに外部機器４の接続情報とカラオケ装置２の設定情報の組み合わせの評価が推奨及び非推奨として登録されてもよい。なお、「推奨」とは、接続が可能であり、動作が保証された外部機器（推奨機器）４が接続されることを示している。「非推奨」とは、接続が可能であるが、条件次第では動作が保証されない外部機器（非推奨機器）４が接続されることを示している。
【００４７】
より具体的には、検出部２７は、外部機器４の機種情報を含む接続情報を出力する。機種情報の検出は、例えばカラオケ装置２と外部機器４をディジタル接続した場合に公知の技術を用いて実現される。評価テーブルには、設定情報として登録された機能に対し、動作確認が取れた機種の外部機器４の評価が「推奨」に設定され、動作確認が取れていない機種の外部機器４の評価が「非推奨」に設定されている。これにより、外部機器４の接続状況と装置設定だけでは特定できないような、外部機器４の機種と装置設定の相性に起因した不具合を特定できる。
【００４８】
なお、サーバ３は、第１実施形態のように判定結果をカラオケ装置２に報知する構成にしてもよいし、第２実施形態のように指示情報によってカラオケ装置２の設定情報を変更する構成にしてもよい。カラオケ装置２の設定情報を変更する場合には、指示部３５によって判定結果が非推奨と判定された機種情報と設定情報の組み合わせについて、設定情報に示された設定を変更にするような指示情報が生成される。また、評価テーブルには、機種情報及び設定情報の組み合わせ毎の評価が、少なくとも推奨又は非推奨で示されていればよく、例えば推奨、非推奨、ＮＧで示されていてもよい。
【００４９】
＜変形例２＞
第１、第２実施形態では、サーバ３が接続情報及び設定情報の組み合わせの適否を判定する構成にしたが、この構成に限定されない。カラオケ装置２が接続情報及び設定情報の組み合わせの適否を判定してもよい。図８は変形例２に係るカラオケシステム１のブロック図である。なお、変形例２については第１、第２実施形態と同様な構成については説明を省略する。また、変形例２に係るカラオケシステム１においては、第１、第２実施形態と同一の名称には同一の符号を付して説明する。
【００５０】
図８に示すように、変形例２のカラオケ装置２には判定部３０が設けられ、カラオケ装置２の記憶部２２に評価テーブルが記憶されている。評価テーブルは、カラオケ装置２の仕様を反映して設定されている。これにより、判定部３０によって記憶部２２の評価テーブルが参照されて、外部機器４の接続情報とカラオケ装置２の設定情報の組み合わせの適否が判定される。このように、変形例２のカラオケ装置２は、自装置内で組み合わせの適否を判定して、メインモニタ１６に判定結果を表示することができる。
【００５１】
なお、記憶部２２には、サーバ３から送信された評価テーブルが記憶されていてもよいし、外部記録媒体から入力された評価テーブルが記憶されていてもよい。また、サーバ３からカラオケ装置２に評価テーブルの更新情報が定期的に送信されて、記憶部２２の評価テーブルが更新されてもよい。サーバ３に機種が異なる複数のカラオケ装置２が接続されている場合には、サーバ３は、カラオケ装置２の機種識別情報に対応した評価テーブルを送信することができるし、あるいはカラオケ装置２の機種識別情報に対応した更新情報を送信することができる。また、カラオケ装置２には、判定結果に基づいて設定情報の変更を指示する指示部３５が設けられていてもよい。
【００５２】
また、上記した各実施形態及び各変形例において、カラオケ装置２及びサーバ３に対して、カラオケシステム１の処理動作のプログラムをインストールすることによって、カラオケシステム１に外部機器４の接続状況とカラオケ装置２の装置設定の相性診断の機能が追加されてもよい。このプログラムは記憶媒体に記憶されている。記憶媒体は特に限定されないが、光ディスク、光磁気ディスク、フラッシュメモリ等の非一過性の記憶媒体であってもよい。
【００５３】
また、本実施形態を説明したが、他の実施形態として、上記実施形態及び変形例を全体的又は部分的に組み合わせたものでもよい。
【００５４】
また、本発明の技術は上記の実施形態に限定されるものではなく、技術的思想の趣旨を逸脱しない範囲において様々に変更、置換、変形されてもよい。さらには、技術の進歩又は派生する別技術によって、技術的思想を別の仕方によって実現することができれば、その方法を用いて実施されてもよい。したがって、特許請求の範囲は、技術的思想の範囲内に含まれ得る全ての実施態様をカバーしている。
【符号の説明】
【００５５】
１    ：カラオケシステム
２    ：カラオケ装置
３    ：サーバ
４    ：外部機器
１３ａ：第１のマイクロホン
１３ｂ：第２のマイクロホン
１８  ：ビデオプレーヤ
２１  ：設定部
２７  ：検出部
２８  ：送信部
３０  ：判定部
３１  ：記憶部
３２  ：取得部
３３  ：判定部
３４  ：報知部
３５  ：指示部
【図１】
0006943926.tif 000002
【図２】
0006943926.tif 000003
【図３】
0006943926.tif 000004
【図４】
0006943926.tif 000005
【図５】
0006943926.tif 000006
【図６】
0006943926.tif 000007
【図７】
0006943926.tif 000008
【図８】
0006943926.tif 000009